(57)【要約】【課題】スイッチ付きのコネクタや基板取出レバーを用いることなく、基板を抜去する際に基板の抜去状態を他方の基板で検出し、基板を抜去する際のチャタリングによる誤動作を防止する。【解決手段】基板３，４は、バックボード２を介して入力した電圧を変換する二次電源部５，９と、二次電源部５，９により変換された電圧に応じて、自機がバックボードに接続していることを示す接続信号をバックボードを介して他の基板に送信し、また、他の基板から接続信号をバックボードを介して受信することにより当該他の基板とバックボードとの接続状態を検出する基板間通信回路７，１１と、二次電源部５，９により変換された電圧が設定した閾値以下である場合に、基板間通信回路７，１１の動作を停止させるリセット回路８，１２とを備える。【選択図】図１
2011113353.tif 000002
【特許請求の範囲】
【請求項１】
運用系と予備系の基板をバックボードに接続することにより冗長を構成する切替システムにおいて、
前記基板は、
前記バックボードを介して入力した電圧を変換する電源部と、
前記電源部により変換された電圧に応じて、自機が前記バックボードに接続していることを示す接続信号を前記バックボードを介して他の基板に送信し、また、前記他の基板から接続信号を前記バックボードを介して受信することにより当該他の基板と前記バックボードとの接続状態を検出する基板間通信回路と、
前記電源部により変換された電圧が設定した閾値以下である場合に、前記基板間通信回路の動作を停止させるリセット回路とを備える
ことを特徴とする切替システム。
【請求項２】
前記バックボードと前記基板間通信回路とを接続するピンの長さは、前記バックボードと前記電源部とを接続するピンの長さより長い
ことを特徴とする請求項１記載の切替システム。
【請求項３】
バックボードを介して入力した電圧を変換する電源部と、
前記電源部により変換された電圧に応じて、自機が前記バックボードに接続していることを示す接続信号を前記バックボードを介して他の基板に送信し、また、前記他の基板から接続信号を前記バックボードを介して受信することにより当該他の基板と前記バックボードとの接続状態を検出する基板間通信回路と、
前記電源部により変換された電圧が設定した閾値以下である場合に、前記基板間通信回路の動作を停止させるリセット回路と
を備える基板。
【発明の詳細な説明】
【技術分野】
【０００１】
この発明は、例えば、運用系と予備系（非運用系）の基板を用いて冗長を構成する切替システムにおいて、片方の基板を抜去した際に誤動作することなく動作保証を行う切替システム及び基板に関するものである。
【背景技術】
【０００２】
運用系と予備系の基板をバックボードに接続することにより冗長を構成する切替システムにおいて、運用中に片方の基板を抜去する際には、バネ仕掛けのスイッチが内蔵されているシーケンシャルコネクタにより、もしくは基板取出レバー（Ｅｊｅｃｔレバー）に付属されているスイッチをＯＮにして基板取出し状態を検知することにより、基板内をリセットして基板間通信回路を一旦閉塞した後に基板の取出しを行っている（例えば、特許文献１参照）。
【０００３】
この特許文献１では、スイッチ付きのコネクタまたは基板取出レバーを用いて基板間通信回路を閉塞することで、他方の基板は抜去された基板の異常を検出し、運用系に切替えることができる。
【０００４】
また、スイッチ付きのコネクタまたは基板取出レバーを用いずに基板を抜去する際には運用系と予備系の基板間でやりとりしている信号（バックボード経由）を検出して相手側の基板抜去状態を検出し自身の系を選択する。しかしながら、この場合、バックボードから抜去中の過渡状態ではコネクタで接触／非接触を繰り返すチャタリングによって、基板の挿入／抜去を繰り返し検出して系の切替が何度も発生して誤動作してしまう。そこで基板を抜去する際にチャタリングが発生しても系が切替ることがないようにラッチパルスを生成するように構成したものもある（例えば、特許文献２参照）。
【先行技術文献】
【特許文献】
【０００５】
【特許文献１】特開２０００−３５８３９号公報
【特許文献２】特開平７−１８３８３２号公報
【発明の概要】
【発明が解決しようとする課題】
【０００６】
しかしながら、特許文献１に開示される切替システムでは、ボードアダプタに用いられているスイッチ付きのコネクタまたは基板取出レバーは高価な部品であるため、コストがかかるという課題がある。
【０００７】
また、特許文献２に開示される切替システムでは、即時抜去する際と時間をかけて抜去する際の両方に対応するラッチパルス幅（チャタリング防止時間）を設定する場合に、実際に現物で動作している状態を測定する方法しかなく、コネクタ特性のバラツキ（製造ロット毎）やコネクタメーカ毎にこのラッチパルス幅を見直す必要があるという課題がある。
【０００８】
この発明は、上記のような課題を解決するためになされたもので、スイッチ付きのコネクタや基板取出レバーを用いることなく、基板を抜去する際に誤り無くこの基板の抜去状態を他方の基板で検出することができ、また、基板を抜去する際に生じるチャタリングによる誤動作を簡易な回路で防止することができる切替システム及び基板を提供することを目的としている。
【課題を解決するための手段】
【０００９】
この発明に係る切替システムは、基板は、バックボードを介して入力した電圧を変換する電源部と、電源部により変換された電圧に応じて、自機がバックボードに接続していることを示す接続信号をバックボードを介して他の基板に送信し、また、他の基板から接続信号をバックボードを介して受信することにより当該他の基板とバックボードとの接続状態を検出する基板間通信回路と、電源部により変換された電圧が設定した閾値以下である場合に、基板間通信回路の動作を停止させるリセット回路とを備えるものである。
【発明の効果】
【００１０】
この発明によれば、上記のように構成したので、基板を抜去した際に、この基板の動作を停止させるように構成したので、スイッチ付きのコネクタや基板取出レバーを用いることなく、片方の基板を抜去した際に、他方の基板において誤り無く基板の抜去状態を検出することができる。また、基板を抜去した際に生じるチャタリングによる誤動作を簡易な回路で防止することができる。
【図面の簡単な説明】
【００１１】
【図１】この発明の実施の形態１に係る切替システムの構成を示す図である。
【図２】この発明の実施の形態１に係る切替システムにおいて、第一基板を挿抜した際の第一基板内の信号の変化を示すタイムチャートである。
【発明を実施するための形態】
【００１２】
以下、この発明の実施の形態について図面を参照しながら詳細に説明する。
実施の形態１．
図１はこの発明の実施の形態１に係る切替システムの構成を示す図である。
切替システムは、図１に示すように、一次電源部１、バックボード２、第一基板３及び第二基板４から構成される。
【００１３】
一次電源部１は、バックボード２を介して第一基板３及び第二基板４に一次電圧を供給するものである。この一次電源部１の一次電源出力部１ａ及びグランド部１ｂは、バックボード２を介して第一基板３及び第二基板４に接続される。
【００１４】
バックボード２は、第一基板３及び第二基板４を接続することにより、第一，二基板３，４を運用系または予備系として冗長を構成するものである。このバックボード２には、第一基板３及び第二基板４を接続するための複数のピンｍ１〜ｍ３、ｎ１〜ｎ３、ａ〜ｊが設けられたコネクタを有している。
【００１５】
第一基板３は、バックボード２に接続して動作するものである。この第一基板３には、バックボード２のピンｍ１〜ｍ３、ａ〜ｅを挿入して接続するためのソケットを有している。この第一基板３は、二次電源部５、制御部６、基板間通信回路７及びリセット回路８から構成される。
【００１６】
二次電源部５は、一次電源部１からバックボード２のピンｍ１〜ｍ３を介して入力した一次電圧を変換して二次電圧を出力するものである。なお、二次電源部５のＥｎａｂｌｅ部は、バックボード２のピンａ，ｂを介して、第一基板３内のグランドと接続される。この二次電源部５により変換された二次電圧は制御部６、基板間通信回路７及びリセット回路８に出力される。
制御部６は、第一基板３の動作を制御するものであり、ＣＰＵ、メモリ、ＬＳＩ等から構成される。
【００１７】
基板間通信回路７は、第二基板４と通信を行うものである。この基板間通信回路７は、バックボード２のピンｃ，ｄ，ｈ，ｉを介して第二基板４の後述する基板間通信回路１１に、第一基板３がバックボード２に接続されていることを示す接続信号を送信する。また、基板間通信回路７は、第二基板４の基板間通信回路１１からの接続信号を受信することにより第二基板４のバックボード２との接続状態を検出して、第一基板３の系を切り替えるか否かを判断する。
【００１８】
リセット回路８は、二次電源部５から出力された二次電圧に基づいて、制御部６及び基板間通信回路７の動作を停止させるものである。このリセット回路８は、二次電源部５から出力された二次電圧が予め設定された閾値以下であった場合に制御部６及び基板間通信回路７の動作を停止させる。また、リセット回路８は、第一基板３を再度挿入した際、二次電源部５から二次電圧が出力され、一定期間（リセット期間）経過後に、制御部６及び基板間通信回路７を動作させる。
【００１９】
第二基板４は、バックボード２に接続して動作するものである。この第二基板４には、バックボード２のピンｎ１〜ｎ３、ｆ〜ｊを挿入して接続するためのソケットを有している。この第二基板４は、二次電源部９、制御部１０、基板間通信回路１１及びリセット回路１２から構成される。
【００２０】
二次電源部９は、一次電源部１からバックボード２のピンｎ１〜ｎ３を介して入力した一次電圧を変換して二次電圧を出力するものである。なお、二次電源部９のＥｎａｂｌｅ部は、バックボード２のピンｆ，ｇを介して、第二基板４内のグランドと接続される。この二次電源部９により変換された二次電圧は制御部１０、基板間通信回路１１及びリセット回路１２に出力される。
制御部１０は、第二基板４の動作を制御するものであり、ＣＰＵ、メモリ、ＬＳＩ等から構成される。
【００２１】
基板間通信回路１１は、第一基板３と通信を行うものである。この基板間通信回路１１は、バックボード２のピンｃ，ｄ，ｈ，ｉを介して第一基板３の基板間通信回路７に、第二基板４がバックボード２に接続されていることを示す接続信号を送信する。また、基板間通信回路１１は、第一基板３の基板間通信回路７からの接続信号を受信することにより第一基板３のバックボード２との接続状態を検出して、第二基板４の系を切り替えるか否かを判断する。
【００２２】
リセット回路１２は、二次電源部９から出力された二次電圧に基づいて、制御部１０及び基板間通信回路１１の動作を停止させるものである。このリセット回路１２は、二次電源部９から出力された二次電圧が予め設定された閾値以下であった場合に制御部１０及び基板間通信回路１１の動作を停止させる。また、リセット回路１２は、第二基板４を再度挿入した際、二次電源部９から二次電圧が出力され、一定期間（リセット期間）経過後に、制御部１０及び基板間通信回路１１を動作させる。
【００２３】
次に、上記のように構成された切替システムにおいて、第一基板３を挿抜する際の動作について説明する。図２はこの発明の実施の形態１に係る切替システムにおいて、第一基板３を挿抜した際の第一基板３内の信号の変化を示すタイムチャートである。
ここで、図２（ａ）は、二次電源部５が入力した一次電圧の変化を示し、図２（ｂ）は、二次電源部５のＥｎａｂｌｅ部が入力した電圧の変化を示し、図２（ｃ）は、二次電源部５が出力した二次電源の変化を示し、図２（ｄ）は、リセット回路８が出力した信号の変化を示したものである。
なお、第一基板３は運用系であり、第二基板４は予備系（非運用系）であるとする。
【００２４】
まず、第一基板３及び第二基板４がバックボード２に接続されているときには、図２（ａ），（ｂ）に示すように、第一基板３の二次電源部５は、一次電源部１からバックボード２のピンｍ１〜ｍ３を介して一次電圧を入力し、また、Ｅｎａｂｌｅ部はピンａ，ｂを介してグランドと接続されている。この状態において、図２（ｃ）に示すように、二次電源部５は一次電源部１から出力された一次電圧を変換して二次電圧を出力する。この二次電源部５により変換された二次電圧は制御部６、基板間通信回路７及びリセット回路８に出力される。
【００２５】
次いで、第一基板３の基板間通信回路７は、二次電源部５から出力された二次電圧に応じて、バックボード２のピンｃ，ｉを介して第二基板４の基板間通信回路１１に、第一基板３がバックボード２に接続していることを示す接続信号を送信する。
第二基板４の基板間通信回路１１では、第一基板３の基板間通信回路７からの接続信号を、バックボード２のピンｄ，ｈを介して受信することにより第一基板３の接続状態を監視している。
【００２６】
次いで、第一基板３を抜去すると、第一基板３とバックボード２の接続が解除される。ここで、バックボード２のピンｍ１〜ｍ３のうちいずれか１つでも第一基板３と接続されている場合には、一次電源部１から出力された一次電圧が第一基板３の二次電源部５に供給される。一方、ピンａ，ｂのどちらか１つでも第一基板３から外れた場合には二次電源部５のＥｎａｂｌｅ部はグランドと未接続になる。そのため、図２（ｂ）に示すように、二次電源部５の入力側に接続された抵抗によってＥｎａｂｌｅ部が有意となり、図２（ｃ）に示すように、二次電源部５から二次電圧が出力されなくなる。
【００２７】
次いで、リセット回路８は、この二次電源部５による二次電圧が閾値以下になった場合には、図２（ｄ）に示すように、リセットが有意になり制御部６及び基板間通信回路７の動作を停止させる。
【００２８】
また、第二基板４の基板間通信回路１１は、第一基板３の基板間通信回路７の動作停止によって、基板間通信回路７からの接続信号が途絶えた場合には、第一基板３とバックボード２との接続状態が異常であると判断し、第二基板４を予備系から運用系に切替える。
【００２９】
ここで、一旦第一基板３がバックボード２のピンａ，ｂから少しでも離れると、再び第一基板３を挿入して、二次電圧が出力された後一定期間経過するまではリセット回路８によって第一基板３は動作しないため、バックボード２から第一基板３を挿抜の過渡状態において、第一基板３とバックボード２との接触/非接触のチャタリングによって誤動作することはない。
【００３０】
また、このリセット期間は通常数秒程度に設定されるものであり、チャタリング時間に対して十分長いため、第一基板３を即時に挿抜する場合、時間をかけて挿抜する場合に関わらず誤動作することはなくなる。
【００３１】
また、予備系である第二基板４をバックボード２から挿抜する際についても、第一基板３を挿抜する際と同様の動作であり、その説明を省略する。
【００３２】
以上のように、この実施の形態１によれば、第一基板３（第二基板４）を抜去した際に、第一基板３（第二基板４）の動作をリセットさせるように構成したので、スイッチ付きのコネクタや基板取出レバーを用いることなく、片方の基板を抜去した際に、他方の基板が当該基板の抜去状態を誤り無く検出することができる。また、抜去する際のチャタリングによる誤動作を防止することができる。
【００３３】
実施の形態２．
実施の形態２に係る切替システムは、図１に示した実施の形態１に係る切替システムと同様であるので、図１を参照しながら説明を行う。
ここで、バックボード２のピンは、ピンｍ１〜ｍ３，ａ，ｂは短ピンにより形成され、ピンｃ，ｄは中ピンにより形成され、ピンｊは長ピンにより形成されている。なお、ピンｎ１〜ｎ３、ｆ〜ｊについても同様に形成されている。
【００３４】
ここで、バックボード２のピンｄの長さをピンｍ１〜ｍ３，ａ，ｂよりも長くしたので、第一基板３をバックボード２から抜去した際に、短ピンであるピンｍ１〜ｍ３，ａ，ｂが第一基板３から外れてリセット回路８によって基板間通信回路７の動作が停止した後に、ピンｄが第一基板３から外れる。そのため、基板間通信回路７の動作が停止する前に、基板間通信回路７と基板間通信回路１１との接続が解除されることはなくなり、第二基板４が異常であると誤検出することを防止できる。
【００３５】
また、第一基板３を再び挿入した際には、中ピンであるピンｄが第一基板３と接続した後に短ピンであるピンｍ１〜ｍ３，ａ，ｂが接続するため、第一基板３が動作する前に基板間通信回路７と基板間通信回路１１とを接続することができるため、第二基板４が異常であると誤検出することを防止できる。
また、予備系である第二基板４をバックボード２から挿抜する際についても、第一基板３を挿抜する際と同様であり、その説明を省略する。
【００３６】
以上のように、この発明の実施の形態２によれば、基板間通信回路７（基板間通信回路１１）と接続されるピンｃ，ｄ（ピンｈ，ｉ）の長さを、二次電源部５（二次電源部９）と接続されるピンｍ１〜ｍ３，ａ，ｂ（ピンｎ１〜ｎ３，ｆ，ｇ）よりも長くして構成したので、第一基板３（第二基板４）とバックボード２との接続が解除され、基板間通信回路７（基板間通信回路１１）の動作が停止する前に、基板間通信回路７（基板間通信回路１１）と基板間通信回路１１（基板間通信回路７）との接続が解除されることはなくなり、誤検出を防止することができる。
【符号の説明】
【００３７】
１  一次電源部、１ａ  一次電源出力部、１ｂ  グランド部、２  バックボード、３  第一基板、４  第二基板、５，９  二次電源部、６，１０  制御部、７，１１  基板間通信回路、８，１２  リセット回路。
【図１】
2011113353.tif 000003
【図２】
2011113353.tif 000004